(57)【特許請求の範囲】
【請求項１】
奏法対応楽音制御データ或いはノーマル楽音制御データに基づいてそれぞれ奏法に対応した特殊効果音或いは奏法に依存しない通常音を表わす楽音信号を生成する楽音信号生成手段と、
奏法を指定するための複数の奏法操作子と、
一の奏法操作子の操作に基づき奏法が指定された状態で他の奏法操作子の操作による奏法の指定を受け付けた場合に、何れか１つの奏法操作子の操作のみを有効とする有効操作決定手段と、
有効操作決定手段により有効とされた奏法操作子の操作に基づいて奏法を指定する奏法指定手段と、
奏法指定手段により指定された奏法に応じて、奏法対応楽音制御データに基づく特殊効果音の楽音信号を楽音信号生成手段に生成させる楽音生成制御手段と
を具備することを特徴とする電子音楽装置。
【請求項２】
有効操作決定手段は、前記場合に、複数の奏法操作子のうち何れの奏法操作子のオフ操作を有効とするかを決定することを特徴とする請求項１に記載の電子音楽装置。
【請求項３】
奏法対応楽音制御データ或いはノーマル楽音制御データに基づいてそれぞれ奏法に対応した特殊効果音或いは奏法に依存しない通常音を表わす楽音信号を生成する楽音信号生成手段、及び、奏法を指定するための奏法操作子を具備し、電子音楽装置として機能するコンピュータに、
一の奏法操作子の操作に基づき奏法が指定された状態で他の奏法操作子の操作による奏法の指定を受け付けた場合に、何れか１つの奏法操作子の操作のみを有効とする有効操作決定ステップと、
有効操作決定ステップで有効とされた奏法操作子の操作に基づいて奏法を指定する奏法指定ステップと、
奏法指定ステップで指定された奏法に応じて、奏法対応楽音制御データに基づく特殊効果音の楽音信号を楽音信号生成手段に生成させる楽音生成制御ステップと
から成る手順を実行させる奏法対応処理プログラム。
【発明の詳細な説明】
【技術分野】
【０００１】
この発明は、奏法対応音源を搭載した電子音楽装置において奏法に対応する処理を行う際の操作の便を図った奏法対応処理システムに関する。
【背景技術】
【０００２】
従来より、奏法対応音源を搭載し所定の操作子の操作に応じて奏法に対応した処理を行う電子音楽装置が知られており、例えば、特許文献１には、フットスイッチ等の特定の操作子の操作に応じて、奏法に対応した切替発音用の波形データに基づく楽音を発生させる楽音発生装置が開示されている。
【特許文献１】特開２００６−６４８２１号公報
【０００３】
ここで、奏法対応音源とは、自然楽器をその楽器特有の奏法で演奏したときの特徴的な楽音を発音することができる音源であり、このような楽音は特殊効果音と呼ぶことができる。例えば、実際に楽器特有の奏法で自然楽器を演奏し、そのときの楽音波形データを特殊効果音としてサンプリングして波形メモリに記憶し、演奏時にスイッチ操作などにより奏法が指定されると、この楽音波形データに基づいて特殊効果音が発音される。このような奏法対応音源については特許文献２などに詳しく記載されている。
【特許文献２】特開平１０−２１４０８３号公報
【０００４】
従来技術では、複数の操作子に奏法指定機能を割り当てることは想定されていない。また、複数の操作子に奏法指定機能を割り当てる方法を採用した場合、同じ奏法指定機能が割り当てられた複数の奏法操作子を同時に操作したり、これら奏法操作子について或る奏法操作子の操作中に他の操作子を操作してしまった場合に、特殊効果音が重なって発音されてしまう等の不具合を生じる可能性がある。
【発明の開示】
【発明が解決しようとする課題】
【０００５】
この発明は、このような事情に鑑み、奏法対応音源を搭載した電子音楽装置において複数の奏法操作子による奏法指定に関する操作が競合しても不具合を生じないようにすることができる奏法対応処理システムを提供することを目的とする。
【課題を解決するための手段】
【０００６】
この発明の主たる特徴に従うと、奏法対応楽音制御データ（ＴＧａ）或いはノーマル楽音制御データ（ＴＧｎ）に基づいてそれぞれ奏法に対応した特殊効果音或いは奏法に依存しない通常音を表わす楽音信号を生成する楽音信号生成手段（８）と、奏法を指定するための複数の奏法操作子（ＡＲ１，ＡＲ２；ＦＰ１〜ＦＰ３；ＦＣ）と、一の奏法操作子（例えば、ＡＲ１）の操作に基づき奏法が指定された状態で他の奏法操作子（例えば、ＦＰ１）の操作による奏法の指定を受け付けた場合に、何れか１つの奏法操作子（例えば、ＡＲ１）の操作のみを有効とする（［００４７］）有効操作決定手段（Ｃ１）と、有効操作決定手段（Ｃ１）により有効とされた奏法操作子の操作に基づいて奏法を指定する奏法指定手段（Ｃ２）と、奏法指定手段（Ｃ２）により指定された奏法に応じて、奏法対応楽音制御データ（ＴＧａ）に基づく特殊効果音の楽音信号を楽音信号生成手段に生成させる楽音生成制御手段（Ｃ３）とを具備する電子音楽装置〔請求項１〕が提供され、奏法対応楽音制御データ（ＴＧａ）或いはノーマル楽音制御データ（ＴＧｎ）に基づいてそれぞれ奏法に対応した特殊効果音或いは奏法に依存しない通常音を表わす楽音信号を生成する楽音信号生成手段（８）、及び、奏法を指定するための奏法操作子（ＡＲ１，ＡＲ２；ＦＰ１〜ＦＰ３；ＦＣ）を具備し、電子音楽装置として機能するコンピュータに、  一の奏法操作子（例えば、ＡＲ１）の操作に基づき奏法が指定された状態で他の奏法操作子（例えば、ＦＰ１）の操作による奏法の指定を受け付けた場合に、何れか１つの奏法操作子（例えば、ＡＲ１）の操作のみを有効とする（［００４７］）有効操作決定ステップ（Ｃ１）と、有効操作決定ステップ（Ｃ１）で有効とされた奏法操作子の操作に基づいて奏法を指定する奏法指定ステップ（Ｃ２）と、奏法指定ステップ（Ｃ２）で指定された奏法に応じて、奏法対応楽音制御データ（ＴＧａ）に基づく特殊効果音の楽音信号を楽音信号生成手段に生成させる楽音生成制御ステップ（Ｃ３）とから成る手順を実行させる奏法対応処理プログラム〔請求項３〕が提供される。なお、括弧書きは、理解の便のために実施例の参照記号や箇所等を付記したものであり、以下においても同様である。
【０００７】
この発明による電子音楽装置において、有効操作決定手段（Ｃ１）は、前記場合に、複数の奏法操作子（ＡＲ１〜ＦＣ）のうち何れの奏法操作子のオフ操作を有効とするかを決定する（［００４７］）〔請求項２〕ように構成することができる。
【発明の効果】
【０００８】
この発明による奏法対応処理システム（請求項１，３）では、奏法に対応した特殊効果音を発生するための奏法対応楽音制御データ即ち奏法対応音源（ＴＧａ）が、奏法に依存しない通常の楽音（ノーマル音）を発生するためのノーマル楽音制御データ即ちノーマル音源（ＴＧｎ）と共に、電子音楽装置の楽音信号生成部（８）に用意されており、奏法を指定するための複数の奏法操作子（ＡＲ１，ＡＲ２；ＦＰ１〜ＦＰ３；ＦＣ）が設けられている。ユーザが各奏法操作子（ＡＲ１〜ＦＣ）の操作でそれぞれ奏法を指定した際に、これらの奏法操作子（ＡＲ１〜ＦＣ）の操作に基づく奏法の指定が競合し、一の奏法操作子（例えば、ＡＲ１）の操作に基づき奏法が指定された状態で他の奏法操作子（例えば、ＦＰ１）の操作による奏法の指定を受け付けることがある。このような場合には、何れか１つの奏法操作子（例えば、ＡＲ１）の操作のみが有効とされ（Ｃ１，［００４７］）、有効とされた奏法操作子の操作に基づいて奏法を指定するようにし（Ｃ２）、指定された奏法に応じて、奏法対応音源（ＴＧａ）に基づく特殊効果音の楽音信号が生成される。
【０００９】
つまり、この発明では、複数の奏法操作子（ＡＲ１〜ＦＣ）からの奏法の指定が競合して、一の奏法操作子の操作に基づき奏法が指定された状態で他の奏法操作子の操作による奏法の指定を受け付けた場合に、何れか１つの操作のみを有効とし、有効とされた奏法指定に従って特殊効果音を発音する。従って、この発明によれば、奏法対応音源を搭載した電子音楽装置において、複数の奏法操作子による奏法指定に関する操作が競合しても不具合を生じることなく、妥当な特殊効果音を発音させることができる。
【００１０】
この発明による電子音楽装置では、前記場合に、複数の奏法操作子（ＡＲ１〜ＦＣ）のうち何れの奏法操作子のオフ操作を有効とするかを決定する（［００４７］）ようにしている（請求項２）。従って、この発明によれば、複数の奏法操作子による奏法指定に関する操作が競合しても、何れか１つのオフ操作を有効とし、不具合を生じることなく、妥当な特殊効果音を発音させることができる。
【発明を実施するための最良の形態】
【００１１】
以下、図面を参照しつつこの発明の好適な実施の一形態について説明するが、これは単なる一例であり、この発明は、発明の精神を逸脱しない範囲で種々の変更が可能である。
【００１２】
〔システムの概要〕
この発明の一実施例による電子音楽装置は、奏法対応処理を含む音楽情報処理機能を有する一種のコンピュータであり、典型的には、電子楽器のように演奏操作部及び楽音信号生成部を備える音楽専用機器が用いられる。図１は、この発明の一実施例による電子楽器のシステム構成を説明するための図であり、図１（１）は、電子楽器のハードウエア構成ブロック図を示す。この電子楽器は、中央処理装置（ＣＰＵ）１、ランダムアクセスメモリ（ＲＡＭ）２、読出専用メモリ（ＲＯＭ）３、記憶装置４、演奏操作検出回路５、設定操作検出回路６、表示回路７、音源・効果回路８、通信インターフェース（Ｉ／Ｆ）９などを備え、これらの要素１〜９はバス１０を介して互いに接続される。
【００１３】
ＣＰＵ１は、ＲＡＭ２及ＲＯＭ３と共にデータ処理部を構成し、奏法対応処理プログラムを含む所定の制御プログラムに従い、タイマによるクロックを利用して奏法対応処理を含む種々の音楽情報処理を実行する。ＲＡＭ２は、これらの処理に際して必要な各種データを一時記憶するためのワーク領域として用いられる。ＲＯＭ３には、これらの処理を実行するために、奏法対応処理プログラムを含む各種制御プログラムやプリセットされた演奏データ等が予め記憶される。
【００１４】
記憶装置４は、ＨＤ（ハードディスク）、ＦＤ（フレキシブルディスク）、ＣＤ（コンパクトディスク）、ＤＶＤ（デジタル多目的ディスク）、フラッシュメモリなどの半導体メモリなどの記憶媒体と、その駆動装置を含み、任意の制御プログラムや自動演奏データ等を任意の記憶媒体に記憶することができる。また、記憶媒体は、着脱可能であってもよいし、電子楽器に内蔵されていてもよい。
【００１５】
演奏操作検出回路５は、鍵盤（ＫＢ）やフットペダル（ＦＰ）などの演奏操作子１１の演奏操作を検出して検出内容に対応する演奏操作情報をデータ処理部（１〜３）に導入し、データ処理部は、この演奏操作情報に基づき「演奏操作子処理」と呼ばれる実際の演奏に関する処理を行う。設定操作検出回路６は、スイッチやマウス等の設定操作子（パネル操作子）１２の操作内容を検出して検出内容に対応する設定操作情報をデータ処理部に導入し、データ処理部は、この設定操作情報に基づき「設定操作子処理」と呼ばれる種々の設定に関する処理を行う。ここで、設定操作子１２には、音色スイッチや奏法スイッチ（ＡＲ）等の楽音制御に関するスイッチが含まれる。表示回路７は、ＬＣＤや状態表示器（ＬＥＤ）などの種々の表示要素（ディスプレイ、インジケータ、ランプ等）を備えた表示装置１３に対して、各表示要素の表示・点灯内容をデータ処理部からの指令に従って制御し、演奏操作や設定操作などに関する表示援助を行う。
【００１６】
音源・効果回路８は、音源部或いは楽音信号生成部とも呼ばれ、音源（ＴＧ）やＤＳＰを有し、演奏操作検出回路５からデータ処理部を通じて与えられる実演奏情報に基づいてオーディオ形式の楽音信号を生成すると共にこの楽音信号に所定の効果を付与する。サウンドシステム１４は、Ｄ／Ａ変換部やアンプ、スピーカ等を備え、音源・効果回路８からの楽音信号に基づく楽音を発生する。音源・効果回路８は、ＲＯＭ３又は記憶装置４或いは通信Ｉ／Ｆ９から得られる自動演奏データに基づく楽音信号を生成することもできる。
【００１７】
通信Ｉ／Ｆ９は、ＭＩＤＩ等の音楽専用有線Ｉ／Ｆ、ＵＳＢやＩＥＥＥ１３９４等の汎用近距離有線Ｉ／Ｆ、Ｅｔｈｅｒｎｅｔ（登録商標）等の汎用ネットワークＩ／Ｆ、無線ＬａｎやＢｌｕｅｔｏｏｔｈ（登録商標）等の汎用近距離無線Ｉ／Ｆなどの１又は複数を含み、他の音楽機器との間でＭＩＤＩ演奏データを授受したり、外部のサーバコンピュータ等から制御プログラムやデータ等を受信し記憶装置４に保存することができる。
【００１８】
〔奏法対応処理に関する全体構成〕
この発明の一実施例では、音源部８は、通常の楽音（ノーマル音）を発生するためのノーマル音源（ＴＧｎ）の外に、奏法に対応した特殊効果音を発生するための奏法対応音源（ＴＧａ）を備えており、ノーマル音色が設定されている場合は、非奏法対応音源であるノーマル音源（ＴＧｎ）により、通常音を表わす楽音信号を生成するが、奏法対応音色が設定されている場合には、奏法対応音源（ＴＧａ）により、奏法操作子（ＡＲ等）の操作で指定された奏法に対応した特殊効果音を表わす楽音信号を生成し、この電子楽器は奏法対応処理システムとして機能する。図１（２）は、この電子楽器の奏法対応処理システムとしての構成を説明するための図である。
【００１９】
この電子楽器の音源部（音源・効果回路）８は、奏法に対応した特殊効果音を発生するために用いられる奏法対応音源（特殊効果音源ともいう）ＴＧａ、及び、通常音の楽音信号を生成するのに用いられる非奏法対応音源（ノーマル音源ともいう）ＴＧｎを備えている。ここで、特殊効果音とは、自然楽器をその楽器特有の奏法で演奏したときの特徴的な楽音をいい、音源部８は、奏法対応音源ＴＧａに記憶されている奏法対応楽音制御データを用いることにより、このような特殊効果音の楽音信号を生成することができる。奏法対応楽音制御データには、例えば、自然楽器を実際にその楽器特有の奏法で演奏し、そのときの楽音を特殊効果音としてサンプリングして音源ＴＧａ内の波形メモリに記憶したものが用いられる。或いは、このような奏法をシミュレートした物理モデル音源のように、波形メモリ以外の楽音信号生成方式を採用してもよい。その場合、楽音信号生成アルゴリズムやパラメータを奏法対応楽音制御データとして記憶する。
【００２０】
この電子楽器では、演奏操作子１１の主たる演奏操作要素として鍵盤ＫＢが用いられ、補助的な演奏操作要素として複数のフットペダルＦＰを用いることができ、この例では、フットペダルＦＰとして、フットペダル１〜フットペダル３という３つのフットペダルＦＰ〜ＦＰ３が用いられている。また、通信Ｉ／Ｆ９中のＭＩＤＩＩ／Ｆを介してＭＩＤＩフットコントローラＦＣをこの電子楽器に接続することができる。フットペダルＦＰやＭＩＤＩフットコントローラＦＣは、電子楽器本体に任意に接続可能なフット（足）操作要素であり、全てのフット操作要素を接続してもよいし、何れか一つのフット操作要素を接続しても、任意の複数のフット操作要素を接続してもよい。
【００２１】
操作パネルＰＮには、この電子楽器に用意された多数の音色から所望の音色を選択するための音色スイッチ、音源部８に対してパート設定を行うためのパートスイッチＰＲ、奏法即ち特殊効果音の種類を指定するためのＬＥＤ付き奏法スイッチＡＲ等が設けられる。奏法スイッチＡＲは、Ａｒｔスイッチとも呼ばれ、この例では、２つのスイッチ：Ａｒｔ１スイッチＡＲ１及びＡｒｔ２スイッチＡＲ２が設けられている。これらのＡｒｔスイッチＡＲ：ＡＲ１，Ａｒ２は、奏法指定時にオン操作されるスイッチ操作部ＳＷとＬＥＤ（発光ダイオード）で構成された状態表示部ＬＥＤとから成り、この電子楽器に用意された種々の奏法対応音色毎に、予め、発音すべき特殊効果音の種類（即ち、奏法）が対応付けられている。つまり、ＡｒｔスイッチＡＲは、奏法を指定するための専用のスイッチであり、スイッチ操作部ＳＷをオン操作すると、奏法対応音源ＴＧａの効果を発動し、このスイッチＡＲに対応付けられた特殊効果音を発音させる奏法対応音源効果発動機能（特殊効果音発音指示機能、特殊発音指示機能、或いは、単純に、奏法指定機能ともいう）を有する。また、状態表示部ＬＥＤは、奏法対応音源ＴＧａの効果が発動された際に、特殊効果音の生成状態をユーザに報知するのに用いられる。
【００２２】
フットペダルＦＰやＭＩＤＩフットコントローラＦＣなどのフット操作要素は、もともと、この電子楽器におけるノーマル音色設定時の各種演奏操作機能、例えば、サスティンペダルやソステヌートペダル等の機能に割り当て可能な演奏操作子であるが、このシステムでは、特に、ＡｒｔスイッチＡＲのスイッチ操作部ＳＷと同様の奏法対応音源効果発動機能を割り当てることができる。しかも、複数の操作子を共通の効果発動機能に割り当て可能である。なお、この実施例では、奏法対応音源効果発動機能が割り当てられたフット操作要素ＦＰ，ＦＣは、ＡｒｔスイッチＡＲと同様に、「奏法操作子」（奏法指定操作子ともいう）と呼ばれる。
【００２３】
そして、制御部ＣＴは、鍵盤ＫＢ、フットペダルＦＰ、ＭＩＤＩフットコントローラＦＣ、操作パネルＰＮ上の操作要素ＰＲ，ＡＲなどからの操作入力に応じて、音源部８に楽音信号を生成させる。例えば、音色スイッチの操作で選択された奏法対応音色が設定されている場合にＡｒｔスイッチＡＲのスイッチ操作部ＳＷをオン操作すると、設定された奏法対応音色に対応し且つＡｒｔスイッチＡＲに対応付けられた特殊効果音の種類（奏法）に相当する奏法対応音源ＴＧａ中の楽音制御データに基づいて、所望の特殊効果音が生成される。その際、制御部ＣＴは、ＡｒｔスイッチＡＲの状態表示器ＬＥＤの点灯を制御し、このスイッチＡＲに対応付けられた特殊効果音の生成状態をユーザに報知する。
【００２４】
なお、制御部ＣＴは、図１（１）におけるデータ処理部１〜３（ＣＰＵ１、ＲＡＭ２及びＲＯＭ３）及び回路５〜７（演奏操作及び設定操作検出回路５，６並びに表示回路７）の機能に対応している。「操作パネルＰＮ」は、この電子楽器の設定操作子１２及び表示装置１３の構成要素のうち操作パネル上に設けられた操作要素及び表示要素を表わし、図１（２）には、音源制御に関連する構成要素が示されているが、ＬＣＤ等の他の構成要素は図示されていない。また、フットペダルやＭＩＤＩフットコントローラは、電子楽器本体に任意に接続可能なフット操作要素として用いられ、図１（２）に示すように接続可能な全てのフット操作要素を接続してもよいし、何れか一つのフット操作要素を接続しても任意の複数のフット操作要素を接続してもよい。
【００２５】
ここで、この奏法対応処理システムについて楽音信号生成状態報知上の特徴を簡単にまとめておくと次のとおりである：このシステムでは、電子楽器などの電子音楽装置の音源部８には、奏法に依存しない通常の楽音（ノーマル音）を生成するためのノーマル音源ＴＧｎと共に、奏法に対応した特殊効果音を生成するための奏法対応音源ＴＧａが用意されており、奏法を指定するために操作パネルＰＮ上に設けられた奏法スイッチＡＲには、特殊効果音の生成状態を表示するために状態表示器ＬＥＤが付設される。ノーマル音色が設定されている場合は、ノーマル音源ＴＧｎにより通常の楽音が生成される。一方、奏法対応音色が設定されている場合には、奏法対応音源ＴＧａにより、奏法スイッチＡＲ：ＡＲ１，ＡＲ２のユーザ操作により指定された奏法に対応する特殊効果音が生成される。このような音源制御に対応して、状態表示器ＬＥＤには、奏法対応音色が設定されているか否かが第１態様（点灯／消灯）で表示され、奏法対応音色が設定されている場合には、さらに、特殊効果音の複数の発音状態（段階）が第２態様（異なる点灯表示内容：Ａ色連続／Ｂ色断続／Ｂ色連続）で表示される。
【００２６】
〔音色及びパート設定〕
図２は、この発明の一実施例による奏法対応処理システムにおける音色及びパートを説明するための図であり、図２（１）は、音色と特殊効果音の関係を示す。この奏法対応処理システムでは、音色の種別としてノーマル音色（非奏法対応音色）が設定されている場合、図２（１）の最上段に示すように、特殊効果音は発音されない。つまり、ノーマル音色は、ＡｒｔスイッチＡＲ等の奏法操作子を操作しても何も起こらない通常の音色である。これに対して、奏法対応音色（特殊効果音の音色）が設定されている場合は、図２（１）の第２段〜最下段に示すように、３つのタイプの特殊効果音が発音される。
【００２７】
第１のタイプは「単純効果音の発音」であり、このタイプの奏法を指定するために操作されたＡｒｔスイッチＡＲ等の奏法操作子は、演奏操作子の機能を兼備する。つまり、鍵盤ＫＢを押鍵しなくても、このタイプの特殊効果音が対応付けられた奏法操作子を操作すると単純に特殊効果音が発音される。従って、この場合は、奏法操作子は演奏操作子として機能する。第１タイプの特殊効果音の種類を挙げると、例えば、エレキギターのスライド音やアコースティックギターのボディをたたく音などがある。
【００２８】
第２のタイプは「持続型特殊効果音の発音」であり、このタイプの特殊効果音が対応付けられたＡｒｔスイッチＡＲ等の奏法操作子を操作すると、この奏法操作子を操作している間だけ、鍵盤ＫＢの演奏操作に基づく持続型の特殊効果音が発音される。第２タイプの特殊効果音の種類には、例えば、アコースティックギターのナチュラルハーモニクス音などがある。
【００２９】
第３のタイプは「予約型特殊効果音の発音」であり、このタイプの特殊効果音が対応付けられたＡｒｔスイッチＡＲ等の奏法操作子を操作すると、「特殊発音予約状態」となり、鍵盤ＫＢの演奏操作に基づく次のキーオンで特殊効果音が発音される。第３タイプの特殊効果音の種類には、例えば、ベンドアップ／ダウンやグリッサンド等がある。
【００３０】
このシステムでは、１つの奏法対応音色が複数の特殊発音を持ち得る。つまり、音色スイッチの操作で指定される１つの奏法対応音色に対して、複数の楽音制御データを用意しておき、これらの楽音制御データを用いて複数の特殊効果音を発音することができる。図２（２）は、指定可能な１つの奏法対応音色について複数の特殊効果音を発音させる場合の割当て例を示し、この例では、２つの特殊発音を持ち、各特殊発音はそれぞれＡｒｔ１スイッチＡＲ１及びＡｒｔ２スイッチＡＲ２に対応付けられている。なお、音色名の前の注目マーク：「Ａ！」は、その音色が特殊発音を持つことを示している。このような注目マーク：「Ａ！」を音色名に付加することにより、ディスプレイ等への表示を通してユーザに対して特殊発音の有無を知らせることができる
【００３１】
第１例では、図２（２）の上段に示すように、音色名：「Ａ！  アコースティックギター」が示す１つの奏法対応音色に対して、Ａｒｔ１スイッチＡＲ１には、アコースティックギターのボディをたたく音が第１タイプの単純効果音としてＡｒｔ１スイッチＡＲ１に割り当てられ、アコースティックギターのナチュラルハーモニクス音が第２タイプの持続型特殊効果音としてＡｒｔ２スイッチＡＲ２に割り当てられている。第２例では、図２（２）の下段に示すように、音色名：「Ａ！  サックス」が示す１つの奏法対応音色に対して、ベンドアップ及びベンドダウンが第３タイプの予約型特殊発音として夫々Ａｒｔ１スイッチＡＲ１及びＡｒｔ２スイッチＡＲ２に割り当てられている。
【００３２】
なお、１つの奏法対応音色が持つ特殊発音のタイプは、第１例の「Ａ！  アコースティックギター」のように異なるタイプのものでもよいし、第２例の「Ａ！  サックス」のように同じタイプのものでもよい。
【００３３】
このシステムでは、音源部８に構成される複数パートの楽音信号生成系列（発音系列ともいう）に所望の音色を割り当てることができ、パートスイッチＰＲの操作により所望のパートをオンすることにより、オンされたパートの楽音信号生成系列で、設定された音色を持つ楽音信号を生成することができる。図２（３）は、パート数が４に設定されている場合の各パートへの音色割当て例を示し、図２（４）は、この場合のパートの組合せ構成例を示す。パート数が４に設定されている場合、操作パネルＰＮ上のパートスイッチＰＲの機能が割り当て可能なスイッチのうち４つのスイッチに第１〜第４パートスイッチの機能が割り当てられる。なお、各パート及び各パートスイッチは、何れも、同じ記号：「Ｒ１」、「Ｒ２」、「Ｒ３」、「Ｌ」で示される。また、各パートスイッチＲ１，Ｒ２，Ｒ３，ＬにはＬＥＤランプが付設されており、各ＬＥＤランプは、夫々のパートがオンに設定されているときに点灯して、そのパートがオンであることをユーザに知らせる。
【００３４】
図２（３）の音色割当て例では、第１パートＲ１及び第４パートＬにノーマル音色の「アコースティックギター」及び「ベース」がそれぞれ割り当てられ、第２パートＲ２及び第３パートＲ３には、奏法対応音色である「Ａ！  アコースティックギター」及び「Ａ！  ストリングス」がそれぞれ割り当てられている。なお、第１〜第４パートの音色デフォルト値については、ノーマル音色とし、例えば、第１パートＲ１＝「ピアノ」、第２パートＲ２＝「ストリングス」、第３パートＲ３＝「フルート」、第４パートＬ＝「ベース」を割り当てておくことができる。
【００３５】
また、各パートＲ１，Ｒ２，Ｒ３，Ｌは、演奏中であっても、対応するパートスイッチＲ１，Ｒ２，Ｒ３，Ｌの操作により自由にオン／オフすることができ、この操作に伴い、図２（４）に示すようにパートの組合せを変更して、複数の音色を重ねたり（重音状態）、鍵盤ＫＢの鍵域を分割して右手（Ｒ）、左手（Ｌ）を別音色にしたりすることができる。ここで、第１乃至第３パートＲ１〜Ｒ３のうち任意の複数パートがオンの場合は重音状態となり、第４パートＬ及び他の任意のパート（Ｒ）がオンの場合に鍵域が分割される。
【００３６】
例えば、第１パートスイッチＲ１のオン操作により、第１パートＲ１のみをオンに設定すると、例１のように、第１パートＲ１の発音系列で、この発音系列に設定された音色〔図２（３）の場合は「アコースティックギター」〕を持つ楽音信号が生成される。第２及び第３パートスイッチＲ２，Ｒ３のオン操作（第１パートスイッチＲ１はオフ操作）により、第２及び第３パートＲ２，Ｒ３をオンに設定すると、例２のように、第２及び第３パートＲ２，Ｒ３の発音系列で、これらの発音系列に設定された音色〔同「Ａ！  アコースティックギター」及び「Ａ！  ストリングス」〕の楽音信号が生成され重ねられて発音される。例１の設定状態で、第４パートスイッチＬをオン操作すると、第１及び第４パートＲ１，Ｌが同時オン状態に設定され、例３のように鍵域が分割され、第１及び第４パートＲ１，Ｌ１の発音系列で、右手鍵域（Ｒ１）と左手鍵域（Ｌ）で別音色〔同「アコースティックギター」と「ベース」〕の楽音信号が生成される。さらに、例２の状態で第４パートＬをオンした場合、或いは、例３の状態で第１パートＲ１をオフし第２及び第３パートＲ２，Ｒ３をオンした場合は、第２、第３及び第４パートＲ２，Ｒ３，Ｌが同時オン状態に設定され、例４のように鍵域が分割され、左手鍵域については第４パートＬに設定された音色〔同「ベース」〕の楽音信号が生成され、右手鍵域については第１及び第２パートＲ２，Ｒ３の発音系列で各設定音色の楽音信号が生成され重ねられて発音される。
【００３７】
〔奏法操作子の機能〕
図３は、この発明の一実施例による奏法対応処理システムにおける奏法操作子の機能を説明するための図であり、図３（１）は、奏法操作子の種類を示す。操作パネルＰＮ上のＡｒｔスイッチ（奏法スイッチ）ＡＲ：ＡＲ１，ＡＲ２は、前述したように、奏法専用操作子であり、予め、種々の奏法対応音色毎に発音すべき特殊効果音の種類がＡｒｔ１スイッチＡＲ１及びＡｒｔ２スイッチＡＲ２に対応付けられている。つまり、Ａｒｔ１及びＡｒｔ２スイッチＡＲ１，ＡＲ２には、所定の特殊効果音を発音すべきことを指示する特殊効果音発音指示機能が固定的に割り当てられており、両スイッチＡＲ１，ＡＲ２に割り当てられている特殊効果音発音指示機能は夫々「Ａｒｔ１」及び「Ａｒｔ２」で示される。
【００３８】
これに対して、フットペダル１〜３：ＦＰ１〜ＦＰ３及びＭＩＤＩフットコントローラＦＣは、任意に機能の割当てが可能であり、ユーザ操作に基づいて、Ａｒｔ１及びＡｒｔ２スイッチＡＲ１，ＡＲ２と同様の特殊効果音発音指示機能：Ａｒｔ１、Ａｒｔ２を割り当てることができる。これらの操作要素ＦＰ１〜ＦＰ３，ＦＣは、Ａｒｔ１、Ａｒｔ２の何れかの機能を割り当てた場合に奏法操作子として動作し、このようにＡｒｔ１或いはＡｒｔ２の機能が割り当てられた操作要素は、特に「任意割当て奏法操作子」と呼ばれる。もちろん、これらのフット操作要素には、図３（１）の右欄に示すように、「Ａｒｔ１」、「Ａｒｔ２」だけでなく、ノーマル音色に対するサスティンペダル、ソステヌートペダル、ソフトペダル、…、等の補助演奏操作子の機能を任意に割り当てることができる。
【００３９】
各任意割当て奏法操作子は、その操作が第１乃至第４パートの内どのパートに有効に働くかを設定することができ、この設定はパートのオンオフ設定と呼ばれる。図３（２）は、任意割当て奏法操作子に対するパートのオンオフ設定例を示す。図３（２）の設定例では、フットペダル１：ＦＰ１については、第１段に示すように、Ａｒｔ１機能が割り当てられ、フットペダル１に割り当てられたＡｒｔ１機能は、第１及び第２パートＲ１，Ｒ２には有効である（○）が、第３及び第４パートＲ３，Ｌには効かない（×）ように設定されている。また、フットペダル２：ＦＰ２については、第２段に示すように、フットペダル１と同様にＡｒｔ１機能が割り当てられるが、第３及び第４パートＲ３，Ｌにだけ有効（○）となるように設定されており、フットペダル３：ＦＰ３については、第３段に示すように、Ａｒｔ２機能を割り当て、全パートＲ１〜Ｌにわたって有効（○）となるように設定されている。この設定によると、フットペダル１を操作するかフットペダル２を操作するかにより、Ａｒｔ１機能が効くパートをリアルタイムに変更することができる。
【００４０】
このシステムでは、奏法専用操作子として用いられるＡｒｔスイッチＡＲ：ＡＲ１，ＡＲ２には、前述したように、スイッチ操作部ＳＷ及び状態表示器ＬＥＤが併設（並設）されている。図３（３）は、ＡｒｔスイッチＡＲの状態表示器ＬＥＤの表示機能を示す。
【００４１】
状態表示器ＬＥＤには、まず、「点灯（表示）するか消灯（非表示）するか」という第１の態様で、奏法対応音色が設定されているか否かが表示される。ここで、「奏法対応音色が設定されている」とは、現在、オンに設定されているパートに奏法対応音色が割り当てられている状態をいう。従って、（ａ）「奏法対応音色が設定されていない状態」では、図３（３）の第１段に示すように、ＡｒｔスイッチＡＲの状態表示器ＬＥＤは消灯される。特殊効果音の発音（特殊発音）の観点からいうと、状態表示器ＬＥＤの消灯は、（ａ）「特殊発音可能な効果がない状態、或いは、あっても特殊発音パートがオフ状態」を表わす。つまり、この状態は、現在、全パートの音色に特殊発音が割り当てられておらず、奏法操作子を操作しても何も起こらない状態である。或いは、或るパートに特殊発音が割り当てられていても、そのパートがオフなら、この状態となる。なお、奏法対応音色が設定されていない状態（ａ）に対して、状態表示器ＬＥＤの表示（点灯制御）上の優先順位：「４」が与えられる。
【００４２】
これに対し、「奏法対応音色が設定されている」場合には、状態表示器ＬＥＤが点灯されるが、状態表示器ＬＥＤには、更に、「点灯（表示）内容を多段階に異ならせる」という第２の態様で（ｂ）〜（ｄ）の特殊発音状態（特殊効果音の発音状態）が表示される。
【００４３】
まず、奏法対応音色が設定されているだけの状態では、図３（３）の第２段に示すように、状態表示器ＬＥＤは「緑点灯」即ち緑色の連続点灯で、（ｂ）「特殊発音可能な効果ありの状態」（特殊発音可能状態ともいう）であることを表示する。詳しくいうと、或るパートに特殊発音が割り当てられており、しかも、そのパートがオンならこの状態となる。この状態で奏法操作子を操作すると、特殊発音がなされるか或いは特殊発音の予約がなされ、（ｄ）或いは（ｃ）の状態に移る。なお、特殊発音可能な効果ありの状態（ｂ）に対して、表示上の優先順位：「３」が与えられる。
【００４４】
次に、奏法対応音色が設定されている場合に奏法操作子の操作があると、上述したように、（ｃ）或いは（ｄ）の状態に移り、状態表示器ＬＥＤは、「赤点滅」即ち赤色の断続点灯で（ｃ）「特殊発音予約中の状態」であることを表示し、或いは、「赤点灯」即ち赤色の連続点灯で（ｄ）「持続型特殊発音中の状態」であることを表示する。従って、図２（２）の上段のように、２つの奏法スイッチＡＲ１，ＡＲ２に異なるタイプの特殊効果音が割り当てられている場合は、奏法スイッチスイッチＡＲ１，ＡＲ２の操作によって、夫々の状態表示器ＬＥＤの点灯内容は異なったものになる。なお、表示上の優先順位については、特殊発音予約中の状態（ｃ）には順位：「２」が与えられ、持続型特殊発音中の状態（ｄ）には最高順位：「１」が与えられる。
【００４５】
特殊発音予約中の状態（ｃ）については、図２（１）の最下段で説明した「予約型特殊発音」の音色が或るパートに設定された状態（ｂ）で奏法操作子を操作すると、この状態になって、鍵盤ＫＢの押鍵（ノートオン）により予約型の効果音を発音することができる。また、予約型の特殊発音をした後は、この予約中状態が解除されて特殊発音可能状態（ｂ）に戻る。なお、予約中に、再度、奏法操作子を操作すると予約が解除されて特殊発音可能状態（ｂ）に戻る。持続型特殊発音中の状態（ｄ）については、図２（１）の第３段で説明した「持続型特殊発音」の音色が或るパートに設定された状態（ｂ）で奏法操作子を操作すると、奏法操作子を操作している間この状態になり、鍵盤ＫＢの押鍵（ノートオン）により持続型の特殊効果音を発音することができる。そして、奏法操作子の操作を解除すると特殊発音可能状態（ｂ）に戻る。
【００４６】
ＡｒｔスイッチＡＲの状態表示器ＬＥＤは、全パートの特殊発音状態を１つのＬＥＤで表示するようになっている。このため、複数のパートで特殊発音状態が異なるときは、優先順位の高い状態の表示をする。例えば、或るパートに単純効果音が割り当てられ、別のパートに持続型特殊効果音が割り当てられている場合、Ａｒｔ１スイッチＡＲ１を操作すると、単純効果音のパートは特殊発音可能状態（ｂ）で緑点灯すべきであるが、持続型特殊効果音のパートは持続型特殊発音中状態（ｄ）で赤点灯すべきでである。このような場合は、Ａｒｔ１スイッチＡＲ１の状態表示器ＬＥＤの表示には、優先順位に従って（ｄ）の状態に対応する赤点灯が採用される。
【００４７】
〔複数の奏法操作子の競合処理〕
複数の奏法操作子に同じＡｒｔ機能が割り当てられている場合、同一機能に係る複数の奏法操作子の操作による奏法指定が競合してしまうことがあるので、このシステムでは、奏法指定が競合した際に誤動作を起こさないように、次のような制御方法を採る。
（Ａ）操作された各奏法操作子を識別できない場合は、「連続する同一機能操作のうち先着の操作を優先する（後着操作を無効化する）」制御を行う。例えば、「Ａｒｔ１スイッチ（ＡＲ１）オン→Ａｒｔ１機能のフットペダル１（ＦＰ１）オン→Ａｒｔ１機能のフットペダル１（ＦＰ１）オフ→Ａｒｔ１スイッチ（ＡＲ１）オフ」の順に操作された場合、「オン→無視→オフ→無視」のように判断して後着操作を無効化する。この方法は、制御が簡単である。
（Ｂ）操作された各奏法操作子を識別できる場合は、「連続する同一機能操作のうち先着の操作子の操作を優先する（後着操作子の操作を無効化）」制御を行う。例えば、（Ａ）で例示した場合には、「オン→無視→無視→オフ」のように判断して後着操作子の操作を無効化する。この方法を採ることにより、後から間違った操作（フットペダル１の操作）があってもそれを無効化できる。
（Ｃ）操作された各奏法操作子を識別できない場合には、（Ａ）の方法に代えて、「オンは先着優先、オフは後着優先する」制御をしてもよい。例えば、「Ａｒｔ１スイッチ（ＡＲ１）オン→Ａｒｔ１機能のフットペダル１（ＦＰ１）オン→Ａｒｔ１スイッチ（ＡＲ１）オフ→Ａｒｔ１機能のフットペダル１オフ」の場合、「オン→無視→無視→オフ」のように判断して、オン操作子とオフ操作子を変えることができる。
【００４８】
これらの方法は、同一機能のオン操作については最初の操作（先着）を有効にするようにしている点で共通しており、実現し易いという利点がある。なお、複数の奏法操作子に同じＡｒｔ機能が割り当てられている場合であっても、各奏法操作子の制御対象が異なるパートである場合には競合処理をしないようにしてもよい。例えば、図３（２）の「Ａｒｔ１機能が割り当てられたフットペダル１（ＦＰ１）を第１及び第２パートＲ１，Ｒ２に対応付け、Ａｒｔ１機能が割り当てられたフットペダル２（ＦＰ２）を第３及び第４パートＲ３，Ｌに対応付けている」ような場合には、同じＡｒｔ１機能が割り当てられていても競合処理をしないようにする。
【００４９】
つまり、複数の奏法操作子の競合処理上からみると、この奏法対応処理システムは次のような特徴を備えているということができる：このシステムでは、電子音楽装置の音源部８には、ノーマル音源ＴＧｎと共に、奏法対応音源ＴＧａが用意されており、奏法を指定するために複数の奏法操作子ＡＲ１，ＡＲ２；ＦＰ１〜ＦＰ３；ＦＣが設けられる。複数の奏法操作子（ＡＲ１〜ＦＣ）のユーザ操作に基づく奏法の指定が競合した場合には、何れか１つの操作のみが有効な操作に決定され、有効な操作に決定された奏法操作子の操作に基づいて奏法が指定され、この奏法に応じて、奏法対応音源ＴＧａに基づく特殊効果音が生成される。また、複数の奏法操作子（ＡＲ１〜ＦＣ）が異なるパート（Ｒ１〜Ｒ３，Ｌ）に割り当てられているときには、これらの奏法操作子の操作に基づく奏法の指定が競合しても夫々の操作を有効とする。
【００５０】
〔処理フロー例〕
図４〜図６は、この発明の一実施例による奏法対応処理を表わす種々のフローチャートであり、図４は奏法対応処理のメイン処理フローを示す。この電子楽器の電源をオンするか或いは奏法対応処理の開始操作を行って奏法対応処理プログラムに基づく奏法対応処理システムを立ち上げると、ＣＰＵ１は、まず、最初のステップＭ１で初期化処理を行う。例えば、パートの初期設定については、第１パートＲ１はオン設定とし、他のパートＲ２，Ｒ３：Ｌはオフ設定とする〔図２（４）の（例１）参照〕。音色については、全パートを非奏法対応音色（ノーマル音色）の所定音色をパート毎に異なるように割り当てる。例えば、図２（２）の説明で示したデフォルト値：「Ｒ１＝ピアノ、Ｒ２＝ストリングス、Ｒ３＝フルート、Ｌ＝ベース」が割り当てられる。また、初期設定では、全パートに非奏法対応音色が設定されているので、ＡｒｔスイッチＡＲ：ＡＲ１，ＡＲ２の状態表示器ＬＥＤは消灯している。
【００５１】
次のステップＭ２では、演奏操作子１１の操作があれば演奏操作に対応する演奏操作子処理を行い、例えば、鍵盤ＫＢなどの演奏操作子１１の演奏操作に対応する演奏操作情報に基づいて実演奏情報を生成し音源・効果回路８に送る。これにより、音源・効果回路８では、演奏操作子１１の操作に応じて、オンに設定されているパートの楽音信号生成系列で、そのパートに割り当てられている音色（音源）に基づく楽音信号が生成される。ステップＭ２での演奏操作子処理の後或いは演奏操作がなくステップＭ２をスルーした後は、ステップＭ３に進み、設定操作子１２の操作があれば設定操作に対応する設定操作子処理を行う。
【００５２】
設定操作子処理では、図５及び図６に示すように、種々の設定操作に応じて種々の処理を行い、音源・効果回路８における種々の楽音信号生成条件を設定したりこの設定に対応する表示を行う。ステップＭ３での設定操作子処理の後或いは設定操作がなくステップＭ３をスルーした後は、ステップＭ４に進み、必要に応じてその他の処理を行い、ステップＭ２に戻る。そして、奏法対応処理の終了操作を行うか或いはこの電子楽器の電源をオフするまで、ステップＭ２〜Ｍ４の処理を繰り返し、音源・効果回路８は、ステップＭ３の設定操作子処理で設定された所望の楽音信号生成条件に従って演奏操作に基づく楽音信号を生成する。
【００５３】
ここで、図２（２）及び図３（３）で説明したベンドアップ／ダウン等の予約型特殊発音がなされる場合についてこのメイン処理フローに沿って説明すると、ステップＭ３では、まず、所望のパートスイッチＰＲ及び音色スイッチを操作して或るパートに所望の予約型特殊発音の音色を割り当てる。ここで、当該パートがオンに設定されていれば当該音色が設定され、また、当該パートがオフであれば、当該パートスイッチＰＲの操作でオンに設定することにより当該音色が設定される。例えば、Ａｒｔ１スイッチＡＲ１に、当該音色について予約型特殊発音の指定機能が割り当てられているとした場合は、音色設定により特殊発音可能状態（ｂ）になるので、Ａｒｔ１スイッチＡＲ１の状態表示器ＬＥＤが緑色で連続的に点灯される。次いで、Ａｒｔ１スイッチＡＲ１を操作することにより特殊発音予約状態（ｃ）とし、状態表示器ＬＥＤを赤色で断続的に点灯する。
【００５４】
この後、ステップＭ２に戻ったときに演奏操作子１１の鍵盤ＫＢが操作されて特殊発音予約状態（ｃ）でノートオンが生じることにより、音源・効果回路８に特殊効果音の楽音信号を生成させる。そして、特殊効果音の楽音信号の生成が終わると特殊発音可能状態（ｂ）に戻り、状態表示器ＬＥＤは緑色で連続的に点灯する。
【００５５】
このように、予約型特殊効果音の発音上からみると、この奏法対応処理システムは次のような特徴を備えている：電子音楽装置の音源部８にはノーマル音源ＴＧｎと共に奏法対応音源ＴＧａが用意されており、奏法を指定するための奏法操作子ＡＲが操作パネルＰＮ上に設けられる。この奏法操作子ＡＲの操作により、ベンドアップ／ダウン等の予約型特殊発音に相当する奏法が指定されると、この奏法指定に応じて、演奏操作があれば予約型の特殊効果音を生成する発音予約状態（ｃ）が設定され（Ｍ３）、この状態（ｃ）で演奏操作子ＫＢを操作すると、この操作によるノートオンに応じて、実際に、奏法対応音源ＴＧａに基づくベンドアップ／ダウン等の予約型特殊効果音が生成される（Ｍ２）。この場合、特殊効果音の生成により発音予約状態（ｃ）は解除され、また、特殊効果音の発音予約状態（ｃ）である旨が状態表示器ＬＥＤにより表示される。
【００５６】
図５及び図６は、メイン処理のステップＭ３で行われる種々の演奏操作子処理の具体例を示す。図５は、音源部８に構成される複数（４）パートＲ１〜Ｒ３，Ｌの発音系列をオン／オフに設定するパートオンオフ設定処理を示すフローチャートであり、この処理は、パートスイッチＰＲが操作されることにより開始する。最初のステップＡ１では、ユーザによる第１〜第４パートスイッチＲ１〜Ｌの何れかの操作に応じて、操作されたパートのオン／オフを変更する。次のステップＡ２では、オンに設定されたパート（オンパート）の中に奏法対応音色が割り当てられているパートがあれば、奏法対応音色が当該パートに設定された状態になるので、オンパートの奏法対応音色の設定状態に応じてＡｒｔスイッチＡＲの状態表示器ＬＥＤを制御する。例えば、パートオンで特殊発音可能状態（ｂ）になったのであれば緑点灯を行い、特殊発音可能状態（ｂ）からパートオフ状態（ａ）にしたのであれば消灯する。但し、或るパートでオンオフの状態変化があっても、優先順位の高い状態の他のパートがある場合には表示は変化しない。そして、今回の処理を終了しメイン処理のステップＭ４にリターンする。
【００５７】
図６（１）は、音源部８に構成される各パートＲ１〜Ｒ３，Ｌの発音系列に所望の音色を割り当てるパート音色割当て処理を示すフローチャートであり、この処理は、パートスイッチＰＲ及び音色スイッチが操作されることにより開始する。最初のステップＢ１では、パートスイッチＰＲの何れかと音色スイッチの何れかとが操作されると、操作されたパートスイッチＰＲに対応するパートの発音系列に、操作された音色スイッチに対応する音色を割り当てて、両スイッチの操作に応じて各パートの音色を変更する。次のステップＢ２では、奏法対応音色が割り当てられたパートがオンパートであれば、奏法対応音色が当該パートに設定された状態になるので、奏法対応音色の設定状態に応じてＡｒｔスイッチＡＲの状態表示器ＬＥＤを制御する。例えば、オンパートが奏法対応音色の割当てで特殊発音可能状態（ｂ）になったのであれば緑点灯を行い、逆に特殊発音可能状態（ｂ）からノーマル音色割当て状態（ａ）にしたのであれば消灯する。但し、或るパートで音色種別の設定状態に変化があっても、優先順位の高い状態の他のパートがある場合には表示は変化しない。そして、今回の処理を終了しメイン処理のステップＭ４にリターンする。
【００５８】
図６（２）は、奏法操作子のオンオフ操作に基づき奏法対応音源部ＴＧａなどを制御する奏法操作子オンオフ処理を示すフローチャートであり、この処理は、ＡｒｔスイッチＡＲ：ＡＲ１，ＡＲ２等の奏法操作子が操作されることにより開始する。最初のステップＣ１では、同一の奏法指定機能を有する複数の奏法操作子の操作に基づく奏法指定が競合しているときには「奏法操作子の競合処理」を行い、何れか１つの操作のみを有効な操作に決定する。例えば、前述した（Ａ）の先着操作優先方法を採る場合、前回の奏法操作子処理の際にＡｒｔ１スイッチ：ＡＲ１のオン操作を受け付けているのに、今回、Ａｒｔ１機能が与えられたフットペダル１：ＦＰ１がオン操作されたときには、このフットペダル１：ＦＰ１の操作を無効とする。
【００５９】
次のステップＣ２では、奏法操作子に対する今回の操作が有効か否かを判定し、有効であれば（Ｃ２＝ＹＥＳ）ステップＣ３に進み、無効であれば（Ｃ２＝ＮＯ）、今回の処理を終了しメイン処理のステップＭ４にリターンする。すなわち、今回の奏法操作子操作について、奏法操作子の競合処理で無効であると決定したときは今回の処理を終了し、奏法操作子の競合処理で有効であると決定したときにはステップＣ３に進む。また、奏法指定が競合していないときには、ステップＣ１，Ｃ２をスルーしてステップＣ３に進む。
【００６０】
ステップＣ３では、オンパートの奏法対応音色の設定状態に応じて、奏法対応音源ＴＧａに奏法オンコード或いは奏法オフコードを供給する。つまり、奏法対応音色が設定されたオンパートについて、奏法操作子のオン操作或いはオフ操作に対応する制御を行う。例えば、単純効果音の音色が設定されている場合に奏法操作子のオン操作があれば、奏法対応音源ＴＧａにより単純効果音の楽音信号を生成させ、予約型特殊効果音の音色が設定されている場合に奏法操作子のオン操作があれば、特殊発音予約状態（ｃ）とし、持続型特殊効果音の音色が設定されている場合に奏法操作子のオン操作があれば、持続特殊発音状態（ｄ）を開始する。続くステップＣ４では、オンパートの奏法対応音色の特殊発音状態に応じて、ＡｒｔスイッチＡＲの状態表示器ＬＥＤの表示を制御する。例えば、特殊発音予約状態（ｃ）になれば状態表示器ＬＥＤを赤点滅し、持続特殊発音状態（ｄ）になれば状態表示器ＬＥＤを赤点灯する。但し、或るパートで特殊発音の状態が変化しても、優先順位の高い状態の他のパートがある場合には表示は変化しない。そして、今回の処理を終了しメイン処理のステップＭ４にリターンする。
【図面の簡単な説明】
【００６１】
【図１】この発明の一実施例による奏法対応処理システムの構成説明図である。
【図２】この発明の一実施例による音色とパートを説明するための図である。
【図３】この発明の一実施例による奏法操作子の機能を説明するための図である。
【図４】この発明の一実施例によるメイン処理を表わすフローチャートである。
【図５】この発明の一実施例による設定操作子処理フローの例〔１〕を示す。
【図６】この発明の一実施例による設定操作子処理フローの例〔２〕を示す。
【符号の説明】
【００６２】
ＰＮ，ＣＴ  パネル操作部及び制御部、
ＰＲ  パートスイッチ、
Ｒ１，Ｒ２，Ｒ３，Ｌ  第１〜第４パートスイッチ又は第１〜第４パート、
ＡＲ：ＡＲ１，ＡＲ２  Ａｒｔスイッチ（奏法スイッチ、奏法専用操作子）、
ＬＥＤ  状態表示器
ＦＰ〜ＦＰ３  フットペダル１〜３（任意割当て奏法操作子）、
ＦＣ  ＭＩＤＩフットコントローラ（任意割当て奏法操作子）。
【図１】
0005245467.tif 000002
【図２】
0005245467.tif 000003
【図３】
0005245467.tif 000004
【図４】
0005245467.tif 000005
【図５】
0005245467.tif 000006
【図６】
0005245467.tif 000007